(57)【要約】【課題】墓所に設けられる石製の香炉台に関し、墓所の雰囲気にマッチした使いやすい香炉台を得る。【解決手段】石製の本体３及びこの本体に鉛直軸回りに開閉可能に枢支された両開き構造の石製の扉２を備え、当該扉の前面板９には通気孔１３を備えた装飾模様１４が設けられている。本体３の側方に花立て３２を隣接して設置することにより、当該花立てで開閉扉２と本体３との間の隙間１６を隠すことができる。香炉台の前面板９に多数の通気孔１３を備えた装飾模様１４を設けており、ろうそくや線香に火を付けて扉２を閉めると、香炉台３０内のろうそくの火が通気孔１３を通して見え、線香の煙が通気孔１３を通って流れ、ろうそくや線香は風雨から保護される。【選択図】　　　図２
0003098882.tif 000002
【実用新案登録請求の範囲】
【請求項１】
石製の本体（３）及びこの本体に鉛直軸回りに開閉可能に枢支された両開き構造の石製の扉（２）を備え、当該扉の前面板（９）には通気孔（１３）を備えた装飾模様（１４）が設けられ、香炉台内のろうそくの火が前記通気孔（１３）を通して見え、線香の煙が前記通気孔（１３）を通って流れることを特徴とする、墓所の香炉台。
【請求項２】
開閉扉（２）と本体（３）との間の隙間（１６）が、開閉扉の前面板（９）の枢支側の側縁背後と本体の側板（４）の前縁との間に位置している、請求項１記載の墓所の香炉台。
【請求項３】
開閉扉の前面板（９）の枢支側の側縁背後と本体の側板（４）の前縁が、円弧断面とされて、開閉扉（２）と側板（４）との間に大きな隙間が生じないようにした、請求項１又は２記載の墓所の香炉台。
【請求項４】
本体（３）の側方に花立て（３２）が隣接して設置されている、請求項１、２又は３記載の墓所の香炉台。
【考案の詳細な説明】
【０００１】
【考案が属する技術分野】
この考案は、墓所に設けられる石製の香炉台に関するものである。
【０００２】
【従来の技術】
墓所の香炉台は石製で、花台と共に墓石の前に設置されている。一般的な香炉台は、台の上面にろうそく立てや線香立てを設けたものである。
【０００３】
【考案が解決しようとする課題】
台の上面にろうそく立てや線香立てを設けた従来の香炉台では、風雨によってろうそくや線香の火が消える。
【０００４】
この考案は、従来の上記問題点を解決するために為されたもので、墓所の雰囲気にマッチした使いやすい香炉台を得ることを課題としている。
【０００５】
【課題を解決するための手段】
上記課題を解決した本願請求項１記載の墓所の香炉台は、石製の本体３及びこの本体に鉛直軸回りに開閉可能に枢支された両開き構造の石製の扉２を備え、当該扉の前面板９には通気孔１３を備えた装飾模様１４が設けられ、香炉台内のろうそくの火が前記通気孔１３を通して見え、線香の煙が前記通気孔１３を通って流れることを特徴とするものである。
【０００６】
上記の香炉台は、請求項２に記載のように、開閉扉２と本体３との間の隙間１６を、開閉扉の前面板９の枢支側の側縁背後と本体の側板４の前縁との間に位置させて、当該隙間が香炉台の前面に表れないようにすることができる。
【０００７】
また請求項３に記載のように、開閉扉の前面板９の枢支側の側縁背後と本体の側板４の前縁を円弧断面として、開閉扉２と側板４との間に大きな隙間が生じないようにすることができる。
【０００８】
更に請求項４に記載のように、本体３の側方に花立て３２を隣接して設置することにより、当該花立てで開閉扉２と本体３との間の隙間１６を隠すことができる。
【０００９】
香炉台の前面板９に多数の通気孔１３を備えた装飾模様１４を設けており、ろうそくや線香に火を付けて扉２を閉めると、香炉台３０内のろうそくの火が通気孔１３を通して見え、線香の煙が通気孔１３を通って流れ、ろうそくや線香は風雨から保護されるので、火が消えることがない。
【００１０】
扉２を鉛直軸回りの枢支構造で開閉自在としたことにより必然的に生ずる扉２と本体３との間の隙間１６は、香炉台の側面に表れるようにして、参拝者の目に付きやすい香炉台前面に隙間が表れるのを防止する構造が好ましい。この場合において、開閉扉の前面板９の枢支されている側の側縁背後と本体の側板４の前縁を円弧断面とすれば、開閉扉２と側板４との間に大きな隙間が明かないようにすることができる。
【００１１】
本体３の側方に花立て３２を隣接して設置したときは、当該花立てにより本体３と扉２との間の隙間１６が隠される。
【００１２】
【考案の実施の形態】
以下、図面を参照して、この考案の実施形態を説明する。図１は、この考案の香炉台を設けた墓所の例を示した図で、３１は墓石、３０は香炉台、３２は香炉台３０の両側に隣接して配置された花立てである。香炉台３０の詳細を示した図２〜７において、２は石製の開閉扉、３は石製の香炉台本体である。本体３は、図背面板５、底板６、側板４及び天井板７を一体に備えている。また、扉２は、前面板９及び当該前面板の下辺から内側に延びる台板１２を一体に備えている。本体３は、立方体状の石材をくり貫いて、側板４、背面板５及び底板６を一体に形成したあと、天井板７を接着したものである。
【００１３】
開閉扉の台板１２は平面扇形で、その前縁が前面板９に一体に連結されている。前面板９には、多数の通気孔１３を含む装飾模様１４が設けられている。台板１２の上面には、その円弧縁４２近くの中央より僅かに前面板９寄りの位置に、金属製のガイドピン４７が植立されている。
【００１４】
開閉扉２の外側側縁部の上下端には、上下方向のピン孔が穿設され、当該ピン孔に金属製の蝶番ピン１５が植立されている。本体の底板６及び天井板７の対応する箇所には、ブッシュ孔が穿設され、当該ブッシュ孔に金属製のブッシュが埋め込まれている。本体の天井板７は、開閉扉２の下方のピンを底板６のブッシュに挿通したあと、上方のピン１５を天井板７のブッシュに挿通した状態で、側板４及び背面板５の上縁に接着される。この状態で開閉扉２は、ピン１５回りに回動して開閉可能になる。右側開閉扉２Ｒの前面板の端縁には、閉じたときの左右の扉相互の間の隙間を隠すための桟３１が設けられている。
【００１５】
扉２を蝶番ピン１５回りに回動して開閉自在としたことにより必然的に生ずる扉２と本体３との間の隙間１６は、香炉台の側面に位置しており、この隙間をできるだけ小さくするために、図５に示すように、前面板９の枢支側の側縁背後と本体の側板４の前縁とを円弧断面としている。図１、２に示すように、香炉台３０の両側に花立て３２を配置したときは、この隙間１６を花立て３２で隠すこともできる。
【００１６】
開閉扉の両側の台板１２上には、上台板４０が両台板１２に掛け渡された状態で装架されている。上台板４０の底面４５には、図６に示すように、左右方向に細長いガイド溝４６が刻設されており、台板１２のガイドピン４７がこのガイド溝４６に挿入された状態で、上台板４０が左右の台板１２上に載置されている。
【００１７】
開閉扉２の全開位置は、ガイドピン４７がガイド溝４６の外側端４８に当接した位置で規定される。開閉扉２を閉じた状態では、ガイドピン４７がガイド溝４６の外側端４８の直近の位置に来るようにする。そして、開閉途中の両側の扉がほぼ同じ角度で開かれたときの、両側のガイドピン４７が最も接近するときに、両ガイドピン４７がガイド溝４６の内側端４９の直近の位置に来るように、ガイドピン４７の植立位置とガイド溝４６の外側端４８及び内側端４９の位置を設定する。
【００１８】
開閉扉２を開いた図３の状態では、台板１２が前面板９と共に回動する。この回動により、上台板４０は本体３の内側から手前側へと引出される。上台板４０は、開閉扉２の開閉動作に伴って、左右に大きく移動することなく前後移動する。即ち、両側の開閉扉２Ｌ、２Ｒを開くことによって、上台板４０が手前に平行に引出され、閉じたときに平行に奥側に移動して本体３内に収まる。上台板４０の上には、ろうそく立て５３及び線香立て５１が固着されている。
【００１９】
開閉扉２を開いてろうそくや線香を立てて火を付け、開閉扉２を閉じると、当該ろうそくや線香は香炉台３０内に収まる。開閉扉２の前面には、通気孔１３を有する模様１４が設けられており、香炉台３０内のろうそくの火は、通気孔１３を通して見え、線香の煙は通気孔１３を通って流れる。ろうそくや線香は風雨から保護されるので、火が消えることがない。
【００２０】
開閉扉２を開けば、上台板４０が手前側へ移動して来る。この状態で上台板４０は、持ち上げて容易に取り外すことができるので、ろうそくや線香の燃え滓の除去、及びろうそく立てや線香立ての清掃が極めて容易である。更に、ろうそく立て５３や線香立て５１、あるいは上台板４０が破損したときに、それらの修理及び交換も極めて容易にできる。
【００２１】
【考案の効果】
以上の説明から理解されるように、この考案の香炉台は、従来野ざらしになっていた火の付いたろうそくや線香が香炉台内に収納され、ろうそくの火が扉の通気孔を通して見え、線香の煙が当該通気孔を通って流れ、ろうそくや線香が風雨から保護されるので、火が消えることがない。従って、墓所の雰囲気にマッチした使いやすい香炉台を得ることができるという効果がある。
【図面の簡単な説明】
【図１】この考案の香炉台を設けた墓の一例を示す斜視図
【図２】扉を閉じた状態の香炉台の斜視図
【図３】扉を開いた状態の香炉台の斜視図
【図４】扉を内側から見た斜視図
【図５】扉の枢支部分の拡大部分平面図
【図６】上台板を下方から見た斜視図
【図７】閉扉状態の香炉台の断面平面図
【符号の説明】
２　扉
３　本体
４　本体の側板
９　扉の前面板
１３　通気孔
１４　装飾模様
１５　蝶番ピン
１６　隙間
３０　香炉台
３２　墓石
３２　花立て
【図１】
0003098882.tif 000003
【図２】
0003098882.tif 000004
【図３】
0003098882.tif 000005
【図４】
0003098882.tif 000006
【図５】
0003098882.tif 000007
【図６】
0003098882.tif 000008
【図７】
0003098882.tif 000009